(57)【要約】【課題】            排気用の換気装置について、エアーフィルターから脱落した塵埃等を、室内を汚したり、室内の美観を損なったりすることなく処理することができるようにする。【解決手段】        室内の空気を吸込み、室外へ排気する本体の室内側の吸込開口部に装着され室内空気の吸込口を構成する化粧グリル７を有する換気装置について、その化粧グリル７を、吸込口にエアーフィルター１１を備えたグリル枠１２と、グリル枠１２のエアーフィルター１１に捕集された塵埃等の脱落分を受容する開閉可能な汚れ受部１３で構成し、閉止状態の汚れ受部１３の前面でエアーフィルター１１の室内側からの直接目視を妨げるようにする。【選択図】          図３
2008032340.tif 000002
【特許請求の範囲】
【請求項１】
室内の空気を吸込み、室外へ排気する本体の室内側の吸込開口部に装着され室内空気の吸込口を構成する化粧グリルを有する換気装置であって、その化粧グリルを、吸込口にエアーフィルターを備えたグリル枠と、このグリル枠の前記エアーフィルターに捕集された塵埃等の脱落分を受容する開閉可能な汚れ受部で構成し、閉止状態の前記汚れ受部の前面で前記エアーフィルターの室内側からの直接目視を妨げるようにした換気装置。
【請求項２】
請求項１に記載の換気装置であって、汚れ受部の開閉を開放途中で保持する保持手段を係脱可能に設けた換気装置。
【請求項３】
請求項１又は請求項２のいずれかに記載の換気装置であって、汚れ受部の閉止状態が略水平面であり、その周囲に汚れの飛散を防ぐ立上りを設けた換気装置。
【請求項４】
請求項１〜請求項３までのいずれかに記載の換気装置であって、汚れ受部の背面を中央に向って下り勾配となる傾斜面で構成した換気装置。
【請求項５】
請求項１又は請求項２のいずれかに記載の換気装置であって、汚れ受部の閉止状態が略垂直面であり、その下縁に汚れの飛散を防ぐ立上りを設けた換気装置。
【請求項６】
請求項２〜請求項５までのいずれかに記載の換気装置であって、立上りに汚れを掃き出す掃出し窓を設けた換気装置。
【請求項７】
請求項１〜請求項６までのいずれかに記載の換気装置であって、汚れ受部の平面積をグリル枠の平面積と同等に構成した換気装置。
【発明の詳細な説明】
【技術分野】
【０００１】
本発明は、室内の空気を吸込み、室外へ排気する換気装置、特に、換気装置の本体の室内側の空気吸込口に繋がる吸込開口部に化粧グリルを装着する換気装置に関するものである。
【背景技術】
【０００２】
住宅の高気密化が進む中、住宅の換気も重要なテーマになっており、常時換気に応じる換気装置も多く開発されている。常時換気を目的とする換気装置では、送風機を備えた本体や風路となるダクトに汚れが堆積し易く、換気風量の低下をきたす原因になるので、メンテナンスの頻度を上げるような対策の他、排気用の換気装置についても室内開口部に着脱可能な化粧グリルを取付け、化粧グリルにエアーフィルターを設けているものがある。なお、この種の換気装置についての従来技術としては特許文献１，２に開示された技術がある。
【０００３】
【特許文献１】特開２００５−９０９５５号公報
【特許文献２】実公平０３−１７１６１号公報
【発明の開示】
【発明が解決しようとする課題】
【０００４】
この種の従来の換気装置は、排気用のものでも化粧グリルに付けられたエアーフィルターのメンテナンスをするだけで、送風機やダクト部分の清掃をしなくても換気風量を確保でき都合が良い。しかしながら、エアーフィルターに塵埃が付着し堆積した様子が室内側から目視できるので、室内の美観を損なうばかりでなく、エアーフィルターに捕集された虫の死骸や塵埃等、質量の比較的大きなものがエアーフィルターから脱落し、化粧グリルの意匠面に付着したり、室内の床面に落下したりするといった問題点がある。
【０００５】
本発明は、上記した問題点を解決するためになされたものであり、その課題とするところは、排気用の換気装置について、エアーフィルターから脱落した塵埃等を、室内を汚したり、室内の美観を損なったりすることなく処理することができるようにすることであり、エアーフィルターから脱落した塵埃等の処理を容易にできるようにすることであり、室内側意匠の維持性能が優れた排気用の換気装置を得ることである。
【課題を解決するための手段】
【０００６】
上記課題を解決するために本発明は、室内の空気を吸込み、室外へ排気する本体の室内側の吸込開口部に装着され室内空気の吸込口を構成する化粧グリルを有する換気装置について、その化粧グリルを、吸込口にエアーフィルターを備えたグリル枠と、グリル枠のエアーフィルターに捕集された塵埃等の脱落分を受容する開閉可能な汚れ受部で構成し、閉止状態の汚れ受部の前面でエアーフィルターの室内側からの直接目視を妨げるようにする手段を採用する。
【発明の効果】
【０００７】
本発明によれば、汚れ受部とグリル枠との間から吸込まれた室内空気は、エアーフィルターを通じて吸込口から本体に吸込まれ、室外へ排気される。このとき、室内空気に混じって吸込まれた塵埃、虫等は、エアーフィルターに捕集される。エアーフィルターに捕集された塵埃等のうち、質量の比較的大きなものはやがてエアーフィルターから脱落し、汚れ受部に受容され、室内の床面を汚したりしない。汚れ受部に受容された塵埃等も、エアーフィルター自体も室内側からは見えず、外観性能は確保される。汚れ受部に受容された塵埃等は、汚れ受部をグリル枠から開放させてまとめて処理することができる。
【発明を実施するための最良の形態】
【０００８】
本発明の換気装置は排気により室内の換気を行なうもので、室内の空気を吸込み、室外へ排気する本体の室内側の吸込開口部に装着され吸込口を構成する化粧グリルを有する。本体の室内側の吸込開口部は、天井面や壁面に臨んで設けられ、本体には排気送風機が組込まれている。本体の吹出口にはダクトが接続され、ダクトを介して室内空気は室外へ排気される。本体の吸込開口部に装着される化粧グリルは、吸込口にエアーフィルターを備えたグリル枠と、グリル枠のエアーフィルターに捕集された塵埃等の脱落分を受容する開閉可能な平板状の角形や丸形等の汚れ受部からなる。閉止状態の汚れ受部は、グリル枠と隙間を持って対向し、背面で塵埃等の脱落分を受容し、前面は、エアーフィルターの室内側からの直接目視を妨げる意匠面に構成されている。
【０００９】
本発明の換気装置では、汚れ受部とグリル枠と隙間から吸込まれた室内空気は、エアーフィルターを通じて吸込口から本体の排気送風機に吸込まれ、ダクトを経て室外へ排気される。このとき、室内空気に混じって吸込まれた塵埃、虫等は、エアーフィルターに捕集される。エアーフィルターに捕集された塵埃等のうち、質量の比較的大きなものはやがてエアーフィルターから脱落し、汚れ受部に受容され、室内の床面を汚したりしない。汚れ受部に受容された塵埃等も、エアーフィルター自体も室内側からは見えず、外観性能（意匠面の意匠）は確保される。汚れ受部に受容された塵埃等は、汚れ受部をグリル枠から開放させてまとめて処理することができる。
【００１０】
実施の形態１．
図１は、本実施の形態の換気装置を施工状態で示す縦断面図、図２は、換気装置の化粧グリルの室内側からの斜視図、図３は、開放状態の化粧グリルを示す斜視図である。
【００１１】
本実施の形態の換気装置は、天井側から吸込んだ室内空気を室外へ排気して室内の換気を行なうものである。排気送風機１を組込んだ本体２は、図１に示すように天井裏の空間に吸込開口部３を天井面４に臨んで取付けられ、一側には着脱可能のダクト接続枠５が取付けられている。ダクト接続枠５には室外へ連絡するダクト６が接続され、吸込開口部３から吸込んだ室内空気をダクト６を介して室外へ排気する。本体２の吸込開口部３には、図２，３に示す化粧グリル７が二本の吊りバネ８により天井面４に縁部が密着する状態に装着されている。吊りバネ８は捻りバネで構成され、二本の開脚状の脚が本体２に取付けられた保持金具９の保持部に拡開バネ力で保持される。これにより、化粧グリル７は、天井面４に平行に上下動が可能で、本体２に対して脱着も可能である。
【００１２】
化粧グリル７は、本体２の吸込開口部３に通じる吸込口１０にエアーフィルター１１を備えたグリル枠１２と、グリル枠１２のエアーフィルター１１に捕集された塵埃等の脱落分を受容する垂直面内で開閉可能な平板状（角形や丸形等）の汚れ受部１３からなる。閉止状態の汚れ受部１３は、グリル枠１２と隙間を持って対向し、背面１４で塵埃等の脱落分を受容し、前面は、エアーフィルター１１の室内側からの直接目視を妨げる意匠面１５に構成されている。汚れ受部１３の背面１４は図３に示すように、中央に向って下り勾配となる傾斜面１６で構成され、その周囲には、汚れの飛散を防ぐ立上り１７が設けられている。開放状態で下傾端側となる立上り１７の一部は、汚れを掃き出す掃出し窓１８として切欠かれている。汚れ受部１３の閉止状態は、グリル枠１２に形成された保持構造１９への係着構造２０の係着によって保持され、開放は保持構造１９からの係着構造２０の離脱によりヒンジ構造の回動によって行なわれる。
【００１３】
汚れ受部１３の開放は、自由垂下状態で止まるが、４５度程度で開放を規制する保持手段２１がグリル枠１２との間に設けられ、保持手段２１の解除をしない場合、通常は汚れ受部１３は天井面４から４５度程度下傾した位置で開放状態となる（図３参照）。エアーフィルター１１は、フィルター枠２２に貼設されものでも直接、吸込口１０に貼設したものでも良い。本実施の形態では、フィルター枠２２にエアーフィルター１１を貼設したものを用い、吸込口１０に着脱可能に装着されている。汚れ受部１３の平面積はグリル枠１２の平面積と同等程度が一番意匠的にすっきりした構成となるが、エアーフィルター１１部分をカバーでき、これを室内から直接目視できない大きさであれば所期の目的は達成できる。
【００１４】
本実施の形態の換気装置では、汚れ受部１３とグリル枠１２との隙間から吸込まれた室内空気は、エアーフィルター１１を通じて吸込口１０から本体２の排気送風機１に吸込まれ、ダクト接続枠５に接続されたダクト６を経て室外へ排気される。このとき、室内空気に混じって吸込まれた塵埃、虫等は、エアーフィルター１１に捕集される。エアーフィルター１１に捕集された塵埃等のうち、質量の比較的大きなものはやがてエアーフィルター１１から脱落し、汚れ受部１３に受容され、室内の床面を汚したりしない。汚れ受部１３に受容された汚れは、周囲の立上り１７と傾斜面１６とにより、外にこぼれ出したりしない。汚れ受部１３に受容された塵埃等も、エアーフィルター１１自体も室内側からは見えず、外観性能（意匠面１５の意匠）は確保される。
【００１５】
汚れ受部１３に受容された塵埃等は、汚れ受部１３をグリル枠１２から開放させて、下傾端にある掃出し窓１８から勾配に沿って掃き出し、あるいは拭き出し、床面上に広げた古紙等にまとめて処理することができる。エアーフィルター１１の清掃・メンテナンスをするときには、保持手段２１を解除して汚れ受部１３を全開して行なう。化粧グリル７全体を手入れするときは、本体２から化粧グリル７を取外して行なう。
【００１６】
実施の形態２．
本実施の形態の換気装置は、取付け位置が壁面となる換気装置である。これに係る構成以外は実施の形態１のものと同じである。従って、実施の形態１と同じ部分については、実施の形態１と同じ符号を用い、それらについての説明は省略する。図４は、本実施の形態の換気装置の開放状態の化粧グリルを示す斜視図である。
【００１７】
本実施の形態の換気装置は、化粧グリル７が壁面２３に沿って設けられている。化粧グリル７の汚れ受部１３は、垂直面内又は水平面内の回動で開閉できるように構成されている。汚れ受部１３を垂直面内で開閉させるようにした場合には、保持手段２１は、図４に示すように汚れ受部１３が壁面２３に略直角になる位置で保持するようにする。ドアのように水平面内で開閉できるようにする場合には保持手段２１は必ずしも必要ではない。これ以外の基本的機能、効果は実施の形態１のものと同じである。
【図面の簡単な説明】
【００１８】
【図１】換気装置を施工状態で示す縦断面図である。（実施の形態１）
【図２】換気装置の化粧グリルの室内側からの斜視図である。（実施の形態１）
【図３】開放状態の化粧グリルを示す斜視図である。（実施の形態１）
【図４】開放状態の化粧グリルを示す斜視図である。（実施の形態２）
【符号の説明】
【００１９】
２  本体、  ３  吸込開口部、  ７  化粧グリル、  １０  吸込口、  １１  エアーフィルター、  １２  グリル枠、  １３  汚れ受部、  １６  傾斜面、  １７  立上り、  １８  掃出し窓、  ２１  保持手段。
【図１】
2008032340.tif 000003
【図２】
2008032340.tif 000004
【図３】
2008032340.tif 000005
【図４】
2008032340.tif 000006